(57)【要約】【課題】電線結束用の粘着テープに伝送波形の歪みを改善するフィルタ機能をもたせる。【解決手段】通信回路を構成する電線に巻き付けられる粘着テープ１０であって、前記テープ基材１１あるいは／および該テープ基材１１の片面に設けた粘着層１２にフェライト１３が含有されており、該粘着テープ１０を通信回路の幹線から支線が分岐する分岐部近傍の前記支線に巻き付け、粘着テープ１０のフェライト１３により支線に生じる伝送波形の歪みを改善している。【選択図】図１
2008150427.tif 000002
【特許請求の範囲】
【請求項１】
通信回路を構成する電線に巻き付けられる粘着テープであって、
テープ基材あるいは／および該テープ基材の片面に設けた粘着層にフェライトが含有されていることを特徴とする粘着テープ。
【請求項２】
通信回路の幹線から支線が分岐する分岐部近傍の前記支線に巻き付けられる請求項１に記載の粘着テープ。
【請求項３】
前記通信回路を構成する電線が１本の通信線あるいはツイストペア電線である請求項１または請求項２に記載の粘着テープ。
【請求項４】
前記通信回路を構成する電線と共に、所要の機器に電力を供給する電源線に巻き付けられ、これら電線と電源線を結束する請求項１乃至請求項３のいずれか１項に記載の粘着テープ。
【発明の詳細な説明】
【技術分野】
【０００１】
本発明は、粘着テープに関し、詳しくは、車載ＬＡＮ等の通信ネットワークの幹線から支線を分岐する分岐部に生じる伝送波形の歪みを緩和する機能を備えたものである。
【背景技術】
【０００２】
車載ネットワーク等の通信ネットワークにおいて、１つの通信機器から別の通信機器へ信号を伝送する際に、電気的または磁気的ノイズによって伝送波形に歪みが発生して通信が正常に行われないという問題がある。この波形歪みは主としてインピーダンスの不整合に起因する信号の反射によっても発生し、通信線の分岐点や通信機器内に収容した基板との接続点においてはインピーダンス不整合が発生することは避けられなかった。そのため、従来より分岐点や通信機器との接続点での波形歪みを改善するための種々の技術が提案されている。
【０００３】
例えば、特開平６−７６８８６号公報（特許文献１）では、図７に示すように、コネクタハウジング１内に収容した端子２を円筒状のフェライトコア３に通すことにより伝送波形の歪みを改善している。
しかしながら、特許文献１で提供されている構造では、各端子２を円筒状のフェライトコア３に通さなければならず、かつ、これらフェライトコア３を保持するための構造が必要となり、部品点数およびコネクタの製造工程が増加すると共に、コネクタハウジング１の構造が複雑になる問題がある。
また、前記フェライトコア３は各端子毎に形状を変えるのは困難であり、波形歪みの改善の効果を適度に調節するのが困難である問題がある。
【０００４】
【特許文献１】特開平６−７６８８６号公報
【発明の開示】
【発明が解決しようとする課題】
【０００５】
本発明は前記問題に鑑みてなされたものであり、分岐コネクタではなく、電線に巻き付ける粘着テープに伝送波形の歪みを改善するフィルタ機能をもたせることを課題としている。
【課題を解決するための手段】
【０００６】
前記課題を解決するため、本発明は、通信回路を構成する電線に巻き付けられる粘着テープであって、
テープ基材あるいは／および該テープ基材の片面に設けた粘着層にフェライトが含有されていることを特徴とする粘着テープを提供している。
【０００７】
前記構成の粘着テープを通信回路の電線に巻き付けると、粘着テープのテープ基材あるいは／および粘着層に含有させた磁性体であるフェライトが通信回路の電線に発生する磁界を吸収して熱に変え、分岐部のインピーダンス不整合から増大した高周波成分を低減することができ、伝送波形の歪みを改善することができる。
また、本発明の粘着テープに伝送波形の歪みを改善するフィルタ機能をもたせているため、通信回路の分岐部を形成する分岐コネクタにフィルタ機能をもたせる必要がなくなり、分岐コネクタを回路を分岐させるだけの簡単な構造とすることができる。
さらに、前記粘着テープの巻き付け量を調節するだけで、簡単に波形歪みの改善の効果を適度に調節することができる。
【０００８】
前記粘着テープは、通信回路の幹線から支線が分岐する分岐部近傍の前記支線に巻き付けられることが好ましい。
前記構成によれば、前記支線の分岐部近傍に巻き付けた粘着テープにより分岐部で生じやすい伝送波形の歪みを改善することができる。
なお、粘着テープの巻付位置は分岐部近傍に限らず、伝送波形の歪みが生じる任意の位置に巻き付けて、伝送波形の歪みを改善することができる。
【０００９】
前記通信回路を構成する電線が１本の通信線あるいはツイストペア電線である。
また、前記粘着テープは、前記通信回路を構成する電線と共に、所要の機器に電力を供給する電源線に巻き付けられ、これら電線と電源線を結束する構成としてもよい。
前記構成によれば、前記粘着テープにより前記通信回路を構成する電線の伝送波形の歪みを改善することができると共に、複数本の電線と電源線を結束することができる。
【発明の効果】
【００１０】
前述したように、本発明によれば、粘着テープのテープ基材あるいは／および粘着層に磁性体であるフェライトを含有させているため、該フェライトが通信回路の電線に発生する磁界を吸収して熱に変え、分岐部のインピーダンス不整合から増大した高周波成分を低減することができ、伝送波形の歪みを理想的に改善することができる。
また、前記粘着テープの巻き付け量を調節するだけで、簡単に波形歪みの改善の効果を適度に調節することができる。
【発明を実施するための最良の形態】
【００１１】
本発明の実施形態を図面を参照して説明する。
図１乃至図３は、本発明の第１実施形態を示し、粘着テープ１０は、ＣＡＮ通信（差動伝送方式）を行う車載ＬＡＮにおいて、幹線から支線が分岐する分岐部近傍の支線に巻き付けるものである。
【００１２】
前記粘着テープ１０は、図１に示すように、ポリ塩化ビニル（ＰＶＣ）からなる帯状のテープ基材１１と、該テープ基材１１の片面全面に設けた粘着剤からなる粘着層１２とからなり、これらテープ基材１１と粘着層１２に粉状のフェライト１３を含有させている。
【００１３】
前記粘着テープ１０を巻き付ける通信回路は、図２に示すように、差動伝送線路を構成する複数本のツイストペア電線２０の一端を分岐コネクタ２１にそれぞれ接続して分岐接続しており、幹線となるツイストペア電線２０Ａの他端には終端抵抗（図示せず）を設ける一方、支線となるツイストペア電線２０Ｂの他端には所要の電子機器３０をそれぞれ接続している。
【００１４】
前記支線を構成するツイストペア電線２０Ｂの所要箇所に粘着テープ１０を粘着層１２が内周側となるようにハーフラップ巻きしており、図３に示すように、粘着テープ１０の巻付位置では、ツイストペア電線２０Ｂの外周全周を粘着テープ１０で囲っている。
なお、粘着テープ１０をツイストペア電線２０Ｂにハーフラップ巻きしているため、粘着テープ１０が二重に巻き付けられているが、図３では、粘着テープ１０の重なりの図示を省略している。
【００１５】
前記構成によれば、粘着テープ１０のテープ基材１１および粘着層１２に磁性体であるフェライト１３を含有させているため、該フェライト１３が通信回路の電線に発生する磁界を吸収して熱に変え、分岐部のインピーダンス不整合から増大した高周波成分を低減することができ、伝送波形の歪みを改善することができる。
また、支線に巻き付けた粘着テープ１０に伝送波形の歪みを改善するフィルタ機能をもたせているため、分岐コネクタ２１にフィルタ機能をもたせる必要がなくなり、分岐コネクタ２１を回路を分岐させるだけの簡単な構造とすることができる。
さらに、粘着テープ１０の巻き付け量を調節するだけで、簡単に波形歪みの改善の効果を適度に調節することができる。
【００１６】
図４は、第１実施形態の変形例を示す。
本変形例では、粘着テープ１０のフェライト１３を含有させる対象を第１実施形態と相違させており、図４（Ａ）に示すように、粘着テープ１０のテープ基材１１のみにフェライト１３を含有させてもよいし、図４（Ｂ）に示すように、粘着テープ１０の粘着層１２のみにフェライト１３を含有させてもよい。
なお、他の構成及び作用効果は第１実施形態と同様のため、同一の符号を付して説明を省略する。
【００１７】
図５は、本発明の第２実施形態を示す。
本実施形態では、粘着テープ１０を巻き付ける対象を第１実施形態と相違させており、ツイストペア電線ではなく素線２２ａに絶縁被覆２２ｂを設けた１本の電線からなる通信線２２に第１実施形態と同様の粘着テープ１０を巻き付けている。
なお、第１実施形態の変形例の粘着テープを通信線２２に巻き付けてもよい。
また、他の構成及び作用効果は第１実施形態と同様のため、同一の符号を付して説明を省略する。
【００１８】
図６は、本発明の第３実施形態を示す。
本実施形態では、第１実施形態のツイストペア電線２０と共に所要の機器に電力を供給する複数本の他の電源線２３を集束し、粘着テープ１０を巻き付けて、これらツイストペア電線２０と電源線２３を結束している。
なお、第１実施形態の変形例の粘着テープをツイストペア電線２０と電源線２３に巻き付けてもよいし、第２実施形態の通信線２２と他の電源線２３を粘着テープ１０により結束してもよい。
また、他の構成及び作用効果は第１実施形態と同様のため、同一の符号を付して説明を省略する。
【産業上の利用可能性】
【００１９】
本発明の粘着テープは、車載ＬＡＮ・ＯＡ(Office Automation)・ＦＡ(Factory Automation)等の通信回路の電線に巻き付けるものとして好適に用いられるものである。
【図面の簡単な説明】
【００２０】
【図１】本発明の第１実施形態の粘着テープを示し、（Ａ）は斜視図、（Ｂ）はＡ−Ａ線断面図である。
【図２】通信回路に粘着テープを巻き付けた状態を示す概略図である。
【図３】ツイストペア電線に粘着テープを巻き付けた状態を示すＢ−Ｂ線断面図である。
【図４】（Ａ）（Ｂ）は第１実施形態の変形例である。
【図５】第２実施形態を示し、（Ａ）は１本の通信線に粘着テープを巻き付けた状態を示す図面、（Ｂ）はＣ−Ｃ線断面図である。
【図６】第３実施形態を示す図面である。
【図７】従来例を示す図面である。
【符号の説明】
【００２１】
１０  粘着テープ
１１  テープ基材
１２  粘着層
１３  フェライト
２０Ａ、２０Ｂ  ツイストペア電線
２１  分岐コネクタ
２２  通信線
２３  電源線
【図１】
2008150427.tif 000003
【図２】
2008150427.tif 000004
【図３】
2008150427.tif 000005
【図４】
2008150427.tif 000006
【図５】
2008150427.tif 000007
【図６】
2008150427.tif 000008
【図７】
2008150427.tif 000009